(57)【要約】【課題】天井や床など広い箇所における漏水、あるいは配水管や水タンクなど屋内や屋外の任意箇所における結露や漏水の発生を確実に検知でき、漏水した水が周囲へ拡散しないように漏水被害防止機能を備えた漏水検知装置を提供する。【解決手段】通水可能な複数の開口を有する導電体（格子状の導電体）２と、この導電体に対し離隔して対面配置された面状の導電性水遮蔽体（アルミ箔）３と、導電体２と水遮蔽体３との間に挟まれ、かつ、水の周囲飛散を阻止する非導電性の浸水性保水体（吸水マット）１と、導電体と導電性水遮蔽体間に電圧を印加し、かつ、浸水性保水体の水分吸収時に電圧印加部が導通状態となったことを検出する電圧印加制御部とを備え、導電性水遮蔽体は外側への水漏れを阻止し水の蒸発を抑止するように貯水機能を有している。【選択図】図１
2010014481.tif 000002
【特許請求の範囲】
【請求項１】
通水可能な複数の開口を有する導電体と、
前記導電体に対し離隔して対面配置された面状の導電性水遮蔽体と、
前記導電体と前記導電性水遮蔽体との間に挟まれ、かつ、水の周囲飛散を阻止する非導電性の浸水性保水体と、
前記導電体と前記導電性水遮蔽体間に電圧を印加し、かつ、前記浸水性保水体の水分吸収時に電圧印加部が導通状態となったことを検出する電圧印加制御部と、
を備え、
前記導電性水遮蔽体は外側への水漏れを阻止し水の蒸発を抑止するように貯水機能を有することを特徴とする漏水検知装置。
【請求項２】
前記導電体、前記浸水性保水体および前記導電性水遮蔽体は、表面が透水性で裏面が遮水性のシート状袋体に収容されることを特徴とする請求項１に記載の漏水検知装置。
【請求項３】
前記導電体、前記浸水性保水体および前記導電性水遮蔽体は、配水管、水タンク等に装着される断熱カバー内に収容されることを特徴とする請求項１に記載の漏水検知装置。
【請求項４】
前記導電体は格子状に形成され、前記導電性水遮蔽体は金属薄板で形成され、前記浸水性保水体は高分子吸収材による吸水マットで構成されることを特徴とする請求項１〜３に記載の漏水検知装置。
【請求項５】
電源ユニットに漏水監視部および複数の漏水検知部が接続され、前記電源ユニットから各々の前記漏水検知部への電圧供給および各々の前記漏水検知部から前記漏水監視部のシーケンサへの漏水情報送信を行う電圧供給・情報送信ユニットが前記電源ユニットと各漏水検知部との間に設けられ、漏水発生および漏水発生箇所を含む漏水情報が前記漏水監視部へ送信され、前記漏水監視部で漏水情報の表示、警報がなされるようにしたことを特徴とする漏水検知システム。
【発明の詳細な説明】
【技術分野】
【０００１】
本発明は、配水管や水タンクの漏水や天井等の漏水、結露を検知する漏水検知装置および離れた複数地点における漏水や漏水箇所を自動的に検知する漏水検知システムに関する。
【背景技術】
【０００２】
従来、配水管や水タンク等の漏水や天井等の結露による障害は、目視で監視することで対処されていた。近年、漏水の起き易い箇所にセンサーを設置し、このセンサーからの信号をもとに漏水を検知する方法もとられている。例えば、帯状の漏水センサーを監視対象とする場所に設置して、漏水があったとき警報を発するようにしたものが知られている。
【０００３】
また、他の例として、特許文献１に示すように、水を吸収する非導電性シートを、網の目状に組まれた２体の導線網で挟み込み、この導線網が漏水に触れることによる電気抵抗の変化から漏水を検知するようにした漏水検知装置が開示されている。
【特許文献１】特開２００２−９８６１０号公報
【発明の開示】
【発明が解決しようとする課題】
【０００４】
一般に採用されている漏水箇所の目視による監視では、極少の漏水あるいは目に触れない箇所の漏水は判別できず、常時全体を見渡すことは不可能であり、さらに人の視野に認識されるまで対処ができず、損害が大きくなって始めて気がつくという場合が多かった。
また、帯状の漏水センサーでは、水分を捉える部分が線状であるため、くまなく広い範囲を監視するのに難点があり、さらにセンサーで水分を捉えても、その水分がセンサーから他の箇所へ漏れ出るといった不都合があった。
【０００５】
また、前述の特許文献１に記載の漏水検知装置は、水分を捉える検知部がシート状となっているため、天井や床下など広い範囲で漏水を検知できるものの、非導電性のシートが透水性であり、この上下面を網目状の導線体で挟む構造のため、同様にシートで捉えた水が導線体の網目を通して外部へ拡散し、これによる被害が発生するという問題があった。
【０００６】
したがって本発明は、天井や床上、床下など広い箇所における漏水、あるいは配水管や水タンクなど屋内や屋外の任意箇所における結露や漏水の発生を確実に検知でき、かつ漏水した水が周囲へ拡散しないように漏水被害防止機能を備えた漏水検知装置を提供することにある。
【０００７】
本発明はさらに、離隔した複数の地点や別系統の複数の箇所における漏水を１箇所で自動的に検知することができ、しかも各々の漏水検知箇所での漏水をその各々の漏水検知装置内に保持でき、周囲に拡散することを防止できる漏水検知システムを提供することにある。
【課題を解決するための手段】
【０００８】
本発明によれば、通水可能な複数の開口を有する導電体と、
前記導電体に対し離隔して対面配置された面状の導電性水遮蔽体と、
前記導電体と前記導電性水遮蔽体との間に挟まれ、かつ、水の周囲飛散を阻止する非導電性の浸水性保水体と、
前記導電体と前記導電性水遮蔽体間に電圧を印加し、かつ、前記浸水性保水体の水分吸収時に電圧印加部が導通状態となったことを検出する電圧印加制御部と、
を備え、
前記導電性水遮蔽体は外側への水漏れを阻止し水の蒸発を抑止するように貯水機能を有することを特徴とする漏水検知装置が提供される。
【０００９】
本発明の１つの形態によれば、上記漏水検知装置において、前記導電体、前記浸水性保水体および前記導電性水遮蔽体は、表面が透水性で裏面が遮水性のシート状袋体に収容されている。
本発明の他の形態によれば、上記漏水検知装置において、前記導電体、前記浸水性保水体および前記導電性水遮蔽体は、配水管、水タンク等に装着される断熱カバー内に収容されている。
本発明のさらに他の形態によれば、上記漏水検知装置において、前記導電体は格子状に形成され、前記導電性水遮蔽体は金属薄板で形成され、前記浸水性保水体は高分子吸収材による吸水マットで構成されている。
【００１０】
また、本発明によれば、電源ユニットに漏水監視部および複数の漏水検知部が接続され、前記電源ユニットから各々の前記漏水検知部への電圧供給および各々の前記漏水検知部から前記漏水監視部のシーケンサへの漏水情報送信を行う電圧供給・情報送信ユニットが前記電源ユニットと各漏水検知部との間に設けられ、漏水発生および漏水発生箇所を含む漏水情報が前記漏水監視部へ送信され、前記漏水監視部で漏水情報の表示、警報がなされるようにした漏水検知システムが提供される。
【発明の効果】
【００１１】
本発明による漏水検知装置により、天井内や床上、床下等に生じた結露水や漏水、あるいは各種の配管、水槽等で発生した漏水を自動的に検知して例えば警報や表示等により知認でき、また、漏水を装置外部の周囲へ拡散することを防止でき、さらに断熱配水管など断熱を必要とする箇所に対しても断熱機能を発揮できるなど、損害を未然に防止できる効果がある。
さらに本発明に係る漏水検知システムによれば、目の届かない箇所あるいは離れた複数地点での漏水発生を１箇所で容易に、かつ自動的に検知できる効果がある。
【発明を実施するための最良の形態】
【００１２】
以下、本発明に係る漏水検知装置および漏水検知システムについて、実施の形態を挙げ、図面を参照して詳細に説明する。
【００１３】
図１は、本発明の実施形態１に係る漏水検知装置の漏水検知部１２を示す概略的な斜視図である。或る程度の面積をもつ板状の吸水マット１の上面に、格子状の導電体２が配置され、また吸水マット１の裏面に金属薄板、この実施形態ではアルミ箔３が設けられている。吸水マット１は非導電性であり、高分子吸収材、例えば高分子ポリマで構成するのが好ましい。前述の格子状の導電体２は、その網目から水分が通過して吸水マット１へ浸水する構成であって、本発明に係る通水可能な複数の開口（網目）を有する導電体である。また、吸水マット１は本発明における浸水性保水体である。
【００１４】
また、吸水マット１の裏面に貼着されるアルミ箔３は、本発明における面状の導電性水遮蔽体であって、吸水マット１から流出した水を受け止め、アルミ箔裏側あるいは側方周囲へ水が漏れ出ないような形状に形成され、溜まった水の蒸発を抑止している。
【００１５】
格子状の導電体２およびアルミ箔３は、対となってそれぞれ漏水検知用電極として機能する。具体的には、この漏水検知部１２を配管等の漏水可能性のある部分に設置し、格子状の導電体２の一端およびアルミ箔３の１端部をそれぞれ図外の電源に接続線を介して接続し、両電極間に電圧を印加すると、漏水がないときは吸水マット１が非導電性であるため、両電極間には電流が流れない。
【００１６】
漏水が格子状の導電体２を通して吸水マット１に浸水すると、この浸水が導体として作用し、格子状の導電体２とアルミ箔３とが電気的に導通し、図示しない電圧印加制御部によって導通状態が検出され、適当な表示ランプによる警告、あるいは警報器によるアラーム警報などによって漏水が知認される。吸水マット１は保水性を有しており、吸水マット１に浸水した水は該マットから側方周囲へ流出することがなく、また吸水マット１からアルミ箔３へ滴下した水は、アルミ箔周縁部を椀状あるいは堰状に上方へ若干折り曲げて形成しておくことにより、アルミ箔内に閉じ込められて、外部へ漏出するのが防止され、溜まった水の蒸発が抑止される。これにより、僅かな漏水であっても、格子状の導電体２とアルミ箔３との電気的な導通が持続し、漏水を確実に検知することができる。
【００１７】
図２は本発明の実施形態２による漏水検知装置の概略的な斜視図である。この実施形態においても高分子ポリマ等の非導電性吸水マット１上に一方の電極となる格子状の導電体２が配置され、吸水マット１の下面（裏面）に他方の電極となる導電性薄板、例えばアルミ箔３が貼着されるが、この実施形態２ではさらに、格子状の導電体２、吸水マット１およびアルミ箔３から成る漏水検知部１２が保水用袋体４に収容されている。袋体４は上面が浸透性の部材で形成され、裏面がビニール等の非浸透性のシート材で形成されている。
【００１８】
格子状の導電体２は袋体４の上面から引出線５を介して一方の電極端子台６に接続され、アルミ箔３は袋体４の裏面を通して引出線７により他方の電極端子台８に接続される。これらの電極端子は図示しない電圧印加制御部を経て電源（図示省略）に接続される。なお、袋体４がシート状ではなく、偏平な箱形に形成される場合は、袋体４の底部および側部も非浸透性の部材で形成される。
【００１９】
漏水は袋体４の上面を通して吸水マット１に浸水するので、水の導電性により、電圧が印加されている格子状の導電体２とアルミ箔３間が導通状態となって漏水が検知される。吸水マット１に浸水した水は袋体４によって外部へ拡散することなく袋体内に貯水される。
【００２０】
図３（Ａ），（Ｂ）は本発明の実施形態３による漏水検知装置を断熱材で覆われた配水管に適用した場合の横断面図および部分的な側面断面図である。配管９の外周に、該配管９に対して隙間１０を有して、ポリスチレンフォーム等の断熱材製パイプカバー１１が設けられ、このパイプカバー１１内に実施形態１で述べたような漏水検知部１２が設けられている。配管９が横置形態で配設されている場合、漏水検知部１２はパイプカバー１１の内面下側に配置される。この実施形態３では、図３（Ａ）に示されるように、パイプカバー１１の中心角で略１８０°の下半分に所望の軸方向長さにわたって設置されている。
【００２１】
なお、配管自体が導体で形成されている場合は、漏水検知部１２の上面の前記格子状の導電体２は省略されてもよく、この場合は配管９自体が一方の電極となり、漏水検知部１２の下面の導電体が他方の電極となる。この形態においては、図３（Ｂ）に示すように、パイプカバー１１の端部（両端部）１１ａが径方向内側へのびて止水用ゴムパッキン１３を介して配管９に接当し、これによってパイプカバー１１と配管９の隙間部分（符号１１ａ）が封止され、配管９からの漏水が隙間１０の下部に溜まり、電極を兼ねた配管９と漏水検知部１２の導電体とが導通状態となって漏水が検知される。
【００２２】
なお、この形態では漏水検知部１２の前記吸水マットは必ずしも必要ではなく、また前記導電体は水遮蔽体である必要はない。配管９と前記導電体との間に電圧を印加するようにすればよいので、構造がきわめて簡素化される。
【００２３】
図４は本発明の実施形態４による漏水検知装置の斜視図である。この例においても、格子状の導電体２は非導電性の吸水マット１に支持されるが、吸水マット１の裏面に設けられる金属薄板（金属箔）は除去され、これに代えて貯水機能を有する導電性の保水用パン１４が設けられている。
【００２４】
上記実施形態４の変形例として、上面の格子状の導電体２は導電性の保水用パン１４に対して吸水マット１を介して離隔した形態で、該保水用パン１４に支持される。上面の子状の導電体２および導電性保水用パン１４はそれぞれ別個に電極端子台６，８に接続され、さらに、これらの電極端子は図示しない電圧印加制御部を介して電源に接続され、電圧印加制御部の電圧制御により、前記格子状の導電体２と保水用パン１４に電圧が印加されるようになっている。
【００２５】
漏水があった場合、この漏水が保水用パン１４に貯水され、前記格子状の導電体２がこの貯水を吸った吸水マット１と接触するようになると、前記格子状の導電体２と保水用パン１４との間が導通状態となり、これによって漏水の発生が検知される。
【００２６】
図５は本発明に係る漏水検知システムの実施形態を示す系統図である。本発明に係る漏水検知システムは、電源ユニットに漏水監視部および複数の漏水検知部が接続され、前記電源ユニットから各々の前記漏水検知部への電圧供給および各々の前記漏水検知部から前記漏水監視部のシーケンサへの漏水情報送信を行う電圧供給・情報送信ユニットが前記電源ユニットと各漏水検知部との間に設けられ、漏水発生および漏水発生箇所を含む漏水情報が前記漏水監視部へ送信され、前記漏水監視部で漏水情報の表示、警報がなされるようにしたものである。
【００２７】
まず、電源ユニット１５にモニタおよびシーケンサを含む監視部１６が接続され、さらに、この電源ユニット１５から引き出された電源ケーブル１７は複数の分岐部１８，１９を経て複数の電圧供給・情報送信ユニット２０，２１および図１〜図４で説明した漏水検知部１２ａ，１２ｂに接続されている。
【００２８】
なお、図５では、２つの漏水検知部１２ａ，１２ｂが接続されているが、この漏水検知システム接続される漏水検知部は、２つ以上の複数の漏水検知部が接続可能である。
【００２９】
また、場合によっては、必ずしも前記分岐部および前記電圧供給・情報送信ユニットを介することなく、電源ユニット１５からそれぞれの漏水検知部１２ａ，１２ｂに直接配線接続するようにしてもよい。
【００３０】
このシステムにおいては、電源ユニット１５から各々の電圧供給・情報送信ユニット２０，２１を介して、複数の漏水検知部１２ａ，１２ｂの電極に直流電圧（例えばＤＣ２４Ｖ）が印加される。複数の漏水検知部１２ａ，１２ｂのいずれかの設置箇所で漏水が発生すると、対応する漏水検知部１２ａまたは１２ｂ内の電極間が漏水によって短絡され、この回路に例えば３ｍＡ以上の電流が生じた場合、この情報（通電発生とその発生回路のアドレス）が電圧供給・情報送信ユニット２０または２１から監視部１６のシーケンサ（ＰＬＣ）に対して送信される。
【００３１】
この情報はさらに、漏水警報として監視部１６のモニタ（ＧＬＣ）に漏水が発生しているアドレス（漏水発生箇所）とともに表示される。なお、前記シーケンサから監視部１６の中央監視盤（図示省略）に漏水警報が発信される。
【００３２】
以上、詳述したように、本発明によれば、漏水検知部１２をシート状に形成することにより、この漏水検知部１２を屋内の天井面や床上、床下等の種々の所望部分に容易に設置でき、確実な漏水検知を行うことができる。検出された漏水は漏水検知部内に封止込められ、蒸発が抑止され、周囲に拡散することはない。
【００３３】
また、このようなシート型漏水検知部１２は、平面設置だけでなく、屋外、屋内の配水管や水タンク等の種々の必要箇所、所望部分に簡単に巻き付けて設置でき、特別に嵩張ることもなく、しかも外観を損なうこともない。断熱カバー１１内に漏水検知部１２を設けた、いわゆる断熱カバー内蔵型漏水検知部とすることにより、断熱が必要な屋内外の配管や各種水タンクの任意所望部分に容易に設置することができる等、多くの利点が得られる。
【図面の簡単な説明】
【００３４】
【図１】本発明の実施形態１に係る漏水検知装置の漏水検知部を示す概略的な斜視図である。
【図２】本発明の実施形態２による漏水検知装置の概略的な斜視図である。
【図３】本発明の実施形態３による漏水検知装置を断熱材で覆われた配水管に適用した場合の横断面図および部分的な側面断面図である。
【図４】本発明の実施形態４による漏水検知装置の斜視図である。
【図５】本発明に係る漏水検知システムの実施形態を示す系統図である。
【符号の説明】
【００３５】
１  吸水マット（浸水性保水体）
２  格子状の導電体
３  アルミ箔（導電性水遮蔽体）
４  袋体
９  配管
１１  パイプカバー
１２  漏水検知部
１４  保水用パン
１５  電源ユニット
１６  監視部
１７  電源ケーブル
１８，１９  分岐部
２０，２１  電圧供給・情報送信ユニット
【図１】
2010014481.tif 000003
【図２】
2010014481.tif 000004
【図３】
2010014481.tif 000005
【図４】
2010014481.tif 000006
【図５】
2010014481.tif 000007